(57)【要約】【課題】  先行待機型立軸ポンプにおけるハンチング現象の発生を防止する。【解決手段】  先行待機型立軸ポンプ１は、主空気供給管１６と補助空気供給管１７を備える。主空気供給管１６は、羽根車１１の下端よりも下方の吸込ケーシング６に形成された主空気孔６ａに下端１６ａが連通し、上端１６ｂが吸込水槽２の想定最高水位ＷＬ１よりも上方で大気に開放している。補助空気供給管１７は、主空気孔７ａより上方、かつ羽根車１１の下端よりも下方の吸込ケーシング６に形成された補助空気孔６ｂに下端１７ａが連通し、上端１７ｂが想定最高水位ＷＬ１よりも上方で大気に開放している。【選択図】図１
2006291900.tif 000002
【特許請求の範囲】
【請求項１】
吸込水槽内で開口する吸込口を下端に有すると共に、吐出口を上端に有するケーシングと、このケーシング内に配置された羽根車とを備える先行待機型立軸ポンプにおいて
前記羽根車の下端よりも下方の前記ケーシングに形成された第１の空気孔に一端が連通し、他端が前記吸込水槽の想定最高水位よりも上方で大気に開放している第１の空気流路と、
前記第１の空気孔より上方、かつ前記羽根車の下端よりも下方の前記ケーシングに形成された第２の空気孔に一端が連通し、他端が前記想定最高水位よりも上方で大気に開放している第２の空気流路と
を備えることを特徴とする先行待機型立軸ポンプ。
【請求項２】
前記第１の空気流路から前記第１の空気孔を介して前記ケーシング内に流入可能な空気の流量である第１の空気流量よりも、前記第２の空気流路から前記第２の空気孔を介して前記ケーシング内に流入可能な空気で第２の空気流量が少ないことを特徴とする請求項１に記載の先行待機型立軸ポンプ。
【請求項３】
前記第２の空気流路に流量調整弁を設けたことを特徴とする請求項１又は請求項２に記載の先行待機型立軸ポンプ。
【請求項４】
前記吸込口から流入する水の旋回を防止するための複数の整流板を前記吸込口側の前記ケーシングの内部に備え、かつ
前記整流板の上端は前記第２の空気孔よりも下方に位置することを特徴とする、請求項１から請求項３のいずれか１項に記載の先行待機型立軸ポンプ。
【発明の詳細な説明】
【技術分野】
【０００１】
本発明は、先行待機型立軸ポンプに関する。
【背景技術】
【０００２】
吸込水槽への短時間かつ多量の雨水等の流入に対処するために、種々の先行待機型立軸ポンプが提案されている。先行待機型立軸ポンプは吸込水槽内の水位が大幅に低下しても運転状態を継続可能であり、降雨情報等に基づいて予め始動しておいて吸込水槽への雨水流入と同時に揚水を開始できる
【０００３】
先行待機運転では、低水位での水位変動による急激な流量変動を防止し、それによって原動機の電気的な負荷や、ポンプを構成する個々の要素に作用する機械的な負荷を安定させ、かつ振動や騒音を低減することが重要である。この目的のために、特許文献１及び２に記載の先行待機型立軸ポンプは、ポンプのケーシングの羽根車よりも下方に形成された給気孔に一端が連通し、他端が大気に常に開放された給気管を備えている。吸込水槽内がある水位まで低下すると吸気管を介してケーシング内に空気が供給され、揚水される水に空気の泡が混じる（気水混合運転）。水位が低下する程供給される空気の量が増加し、それに対応して水の流量が減少するので、前述の急激な流量変動の影響が緩和される。この気水混合運転において水位が給気孔まで低下すると、揚水が停止する。この揚水停止時には、ケーシング内の羽根車と給気孔の間の領域に空気溜まりが形成される一方、ケーシング内の羽根車よりも上方の領域には水柱が形成される（エアロック運転）。
【０００４】
しかし、特許文献１及び２に記載の先行待機型立軸ポンプでは、前述のエアロック運転と通常の揚水運転を短い時間間隔で繰り返えす現象（いわゆるハンチング現象）が生じる。このハンチング現象は大きな負荷変動を生じ、振動や騒音の原因となる。以下、ハンチング現象のメカニズムを説明する。エアロック運転中の吸水槽への少量の雨水等の流入や、羽根車上方の水柱から漏れた水の吸込水槽への落下により、水位が僅かに上昇して給気孔を塞ぐ。給気孔が塞がれると空気溜まりを形成していた空気が排気され、吸込ベル内の水位が上昇する。吸込ベル内の水位が羽根車まで上昇すると、再び揚水が開始される。しかし、水位の上昇が吸込水槽への少量の雨水の流入や水柱からの水の漏れに起因する場合、揚水運転が開始されると直ちに水位が低下して給気孔が開放される。その結果、揚水運転が開始されても直ぐにエアロック運転の状態に戻る。以上の動作の繰り返しでハンチング現象が起こる。
【０００５】
【特許文献１】特許第２８９９８７３号明細書
【特許文献２】特許第３１９１０９９号明細書
【発明の開示】
【発明が解決しようとする課題】
【０００６】
本発明は、先行待機型立軸ポンプにおけるハンチング現象の発生を防止することを課題とする。
【課題を解決するための手段】
【０００７】
本発明は、吸込水槽内で開口する吸込口を下端に有すると共に、吐出口を上端に有するケーシングと、このケーシング内に配置された羽根車とを備える先行待機型立軸ポンプにおいて、前記羽根車の下端よりも下方の前記ケーシングに形成された第１の空気孔に一端が連通し、他端が前記吸込水槽の想定最高水位よりも上方で大気に開放している第１の空気流路と、前記第１の空気孔より上方、かつ前記羽根車の下端よりも下方の前記ケーシングに形成された第２の空気孔に一端が連通し、他端が前記想定最高水位よりも上方で大気に開放している第２の空気流路とを備えることを特徴とする先行待機型立軸ポンプを提供する。
【０００８】
吸込水槽内の水位が十分高い場合には、第１及び第２の空気孔は共にケーシング内を吸込口から羽根車に向けて流れる水により塞がれ、回転する羽根車によって吸込口から吐出口へ揚水される水に空気は混ざらない（通常揚水運転）。第１の空気孔より所定量（例えば、Ｖ２／２ｇ：Ｖはケーシング中の水の速度、ｇは重力加速度）だけ上方の高さ位置まで吸込水槽内の水位が低下すると、第１の空気流路から第１の空気孔を介してケーシング内への空気の流入が始まり、羽根車によって吸込口から吐出口へ揚水される水に空気の泡が混ざる（気水混合運転）。第１の空気孔が開放されるまで水位が低下すると、第１の空気孔からの空気の流入量が増加して揚水が停止する。揚水が停止すると、ケーシング内の羽根車と第１の空気孔の間の領域に空気溜まりが形成される一方、ケーシング内の羽根車よりも上方の領域には水柱が形成される（エアロック運転）。空気溜まりを形成する空気は羽根車により徐々に水柱側へ排気されるが、第１の空気流路から第１の空気孔を介してケーシング内に流入する空気、及び第２の空気流路から第２の空気孔を介してケーシング内に流入する空気により空気溜まりが維持される。
【０００９】
エアロック運転の状態となった後、第１の空気孔を塞ぐだけでなく第２の空気孔までケーシング内の水位が上昇すると、空気溜まりへの空気の流入が停止するので空気溜まりを形成していた空気が羽根車により排気され、ケーシング内の水位が羽根車まで上昇すると気水混合運転を経て通常揚水運転が開始される。換言すれば、エアロック運転の状態となった後は、ケーシング内の水位が第２の空気孔に達するまでは通常揚水運転に移行せず、エアロック運転が維持される。いったんエアロック運転状態となった後は、ケーシング内の水位が第１の空気孔に対応する水位と第２の空気孔の対応する水位の間であればエアロック運転が維持され、エアロック運転から通常揚水運転への移行に要する水位上昇量が大きい。従って、エアロック運転中に吸込水槽への少量の水の流入や水柱からの水の漏れにより吸込水槽内の水位が僅かに上昇しても、エアロック運転の状態が維持され、ハンチング現象の発生を防止できる。
【００１０】
第１及び第２の空気流路は全体が空気管により構成されていてもよいが、その全部又は一部がケーシングの内部に形成された流路であってもよい。
【００１１】
前記第１の空気流路から前記第１の空気孔を介して前記ケーシング内に流入可能な空気の流量である第１の空気流量よりも、前記第２の空気流路から前記第２の空気孔を介して前記ケーシング内に流入可能な空気で第２の空気流量が少ない。例えば、第１の空気流量が８〜１０ｍ３／分程度である場合、第２の空気流量０．８〜１．０ｍ３／分程度に設定される。第１及び第２の空気流路が空気管からなる場合、空気管の内径を異ならせることで第１の空気流量よりも第２の空気流量を少なく設定できる。また、第２の空気流路に流量調整弁を設ければ、この流量調整弁の操作によって第２の空気量の調節が可能となり、第２の空気流量を確実に第１の空気流量よりも少なく設定できる。
【００１２】
第１の空気流量よりも第２の空気流量が十分小さく設定されていれば、通常揚水運転から気水混合運転に移行するまで及び気水混合運転中、第２の空気流路から第２の空気孔を介してケーシング内に流入する空気は無視できる程度に少量である。換言すれば、第２の空気流路から第２の空気孔を介してケーシング内に流入する空気によって、通常揚水運転から気水混合運転に移行することはない。また、気水混合運転の状態は、第１の空気流路から第１の空気孔を介してケーシング内に流入する空気によって維持される。
【００１３】
前記吸込口から流入する水の旋回を防止するための複数の整流板を前記吸込口側の前記ケーシングの内部に備える場合、前記整流板の上端は前記第２の空気孔よりも下方に位置することが好ましい。
【００１４】
整流板の上端が第２の空気孔よりも下方に位置していれば、揚水運転時及び気水混合運転時に、ケーシング内の第２の空気孔を含む領域に旋回流が形成される。揚水運転時及び気水混合運転時には、この旋回流により第２の空気孔が閉鎖された状態で維持されるので、第２の空気通路から第２の空気孔を介したケーシング内への空気の流入をより一層低減し、ないしは流入をなくすことができる。
【発明の効果】
【００１５】
本発明の先行待機型立軸ポンプは、第１の空気孔及び第１の空気流路に加え、第２の空気孔及び第２の空気流路を備えるので、エアロック運転中に吸込水槽への少量の雨水の流入や水柱からの水の漏れにより吸込水槽内の水位が僅かに上昇しても、エアロック運転の状態が維持され、ハンチング現象の発生を防止できる。
【発明を実施するための最良の形態】
【００１６】
添付図面を参照して本発明の実施形態を詳細に説明する。
【００１７】
図１から図４に示す本実施形態の先行待機型立軸ポンプ（以下、単に立軸ポンプという）１は、図示しない流入側管路から排水ポンプ場の吸込水槽２内に流入する雨水等の水を下流側に排水するためのものであり、鉛直方向に延びるケーシング３を備えている。ケーシング３は、直管状の揚水管４、揚水管４の下端に連結されたポンプケーシング５、ポンプケーシング５の下端に連結された吸込ケーシング６、及び揚水管４の上端に連結されて鉛直方向から水平方向に湾曲した吐出エルボ７を備えている。吸込ケーシング６は下端に吸込口８を備え得る。一方、吐出エルボ７には吐出管９が連結されている。ポンプケーシング５内に羽根車１１が配設されている。この羽根車１１が下端に固定されている主軸１２は、鉛直方向に延びて上端がケーシング３の外部に突出している。主軸１２の上端側は概略的に示すモータ、減速機構等からなる回転駆動機構３に連結されている。ケーシング３内には、主軸１２を回転自在に支持する水中軸受１４Ａ，１４Ｂ，１４Ｃが配設されている。
【００１８】
立軸ポンプ１は、４本の主空気供給管（第１の空気流路）１６と、１本の補助空気供給管（第２の空気流路）１７を備える。
【００１９】
主空気供給管１６を説明する。吸込ケーシング６には吸込口８の上方かつ羽根車１１の下端よりも下方の位置に、図２に示すように４個の主空気孔６ａが形成されている。これらの主空気孔６ａは、主軸１２が延びる方向から見て等角度間隔で配置されている。主空気供給管１６は、その下端１６ａが主空気孔６ａに接続されて連通し、上端１６ｂが吸込水槽２内の想定される最高水位（想定最高水位）ＷＬ１よりも上方で大気に連通している。後に詳述するように、立軸ポンプ１の運転状態に応じて上端１６ｂから主空気供給管１６内へ空気が流入し、流入した空気は下端１６ａ及び主空気孔６ａを介して羽根車１１よりも下方の吸込ケーシング６内に流入する。
【００２０】
補助空気供給管１７を説明する。吸込ケーシング６には距離Ｌだけ主空気孔６ａよりも上方で、かつ羽根車１１の下端より下方の位置に、図３に示すように１個の補助空気孔６ｂが形成されている。補助空気孔６ｂは可能な限り羽根車１１の下端に近接して設けることが好ましい。補助空気供給管１７は、その下端１７ａが補助空気孔６ｂに接続されて連通し、上端１７ｂが想定最高水位ＷＬ１よりも上方で大気に連通している。後に詳述するように、立軸ポンプ１の運転状態に応じて上端１７ｂから補助空気供給管１７内へ空気が流入し、流入した空気は下端１７ａ及び補助空気孔６ｂを介して羽根車１１よりも下方の吸込ケーシング６内に流入する。
【００２１】
主空気供給管１６及び主空気孔６ａの径Ｄ１よりも、補助空気供給管１７及び補助空気孔６ｂの径Ｄ２が小さく、それによって４本の主空気供給管１６から主空気孔６ａを介して吸込ケーシング６内に流入可能な空気流量よりも、補助空気供給管１７から補助空気孔６ｂを介して吸込ケーシング６内に流入可能な空気量を少なく設定している。例えば、前者の空気流量が８〜１０ｍ３／分程度である場合、後者の空気流量０．８〜１．０ｍ３／分程度に設定される。
【００２２】
補助空気供給管１７の上端側の一部は、ポンプ床１８から吸込水槽２の外部へ延びている。この補助空気供給管１７の吸込水槽２から外部に延びる部分には、補助空気供給管１７及び補助空気孔６ｂを介して吸込ケーシング６内に流入する空気の流量を調整するための流量調整弁１９が設けられている。この流量調整弁１９の操作により、補助空気供給管１７から吸込ケーシング６内への空気流量を主空気供給管１６から吸込ケーシング６内への空気流量よりも確実に少なく設定できる。
【００２３】
図１及び図２を参照すると、吸込ケーシング６内には吸込口８から流入する水の旋回を防止するための４枚の整流板２１が設けられている。整流板２１の下端２１ｂは吸込ケーシング６の下端、すなわち吸込口８付近まで延びている。一方、整流板２１の上端２１ａは主空気孔６ａよりも上方であるが補助空気孔６ｂよりも下方に位置している。整流板２１の上端２１ａは可能な限り補助空気孔６ｂに近接して設けることが好ましい。
【００２４】
次に、この立軸ポンプ１の運転状態の推移を説明する。まず、立軸ポンプ１による揚水が開始されるまでを説明する。降雨情報等に基づいて、吸込口８よりも低い待機水位（吸込水槽２内に水がない状態でもよい。）で立軸ポンプ１が始動される。ケーシング３内には水が存在しないので羽根車１１は空気中で空転する。吸込水槽２内の水位が上昇して羽根車１１の下端まで達すると吸込水槽２内の水は羽根車１１の回転により吸込ケーシング６の吸込口８から吸い上げられ、吸込ケーシング６、ポンプケーシング５、揚水管４、及び吐出エルボ７を介して吐出管へ排水される。
【００２５】
図５に示すように吸込水槽２内の水位ＷＬがケーシング３内の羽根車１４より十分高ければ、前述のように羽根車１１の回転によりケーシング３内に吸い上げられた水は吐出管９へ吐出される（通常揚水運転）。この通常揚水運転時には、主空気孔６ａ及び補助空気孔６ｂは吸込ケーシング６内を羽根車１１に向かって流れる水で閉じられており、主空気供給管１６及び補助空気供給管１７から吸込ケーシング６への空気の混入はない。詳細には、主空気孔６ａ及び補助空気孔６ｂにおいて吸込ケーシング６内の水の静圧（吸込口８での損失水頭を差し引いた水頭圧）と動圧の和が大気圧を上回っているので、主空気供給管１６及び補助空気供給管１７から吸込ケーシング６内へ空気が流入しない。
【００２６】
図６に示すように、吸込水槽２の水位ＷＬが主空気孔６ａより所定量（例えば、Ｖ２／２ｇ：Ｖはケーシング中の水の速度、ｇは重力加速度）だけ上方の水位ＷＬ２まで低下すると、大気圧が吸込ケーシング６内の水の圧力を上回る。その結果、主空気供給管１６から主空気孔６ａを介した吸込ケーシング６内へ空気が流入し始める。羽根車１１によって吸込口８から吐出管９へ揚水される水に空気の泡（気泡）２５が混入する（気水混合運転）。図７に示すように、吸込水槽２の水位ＷＬが水位ＷＬ２からさらに低下するのに伴い、主空気供給管１６から主空気孔６ａを介して吸込ケーシング６内へ流入する空気量が増加する。換言すれば、水位ＷＬが低下する程、揚水される水に含まれる気泡２５の割合が増加する。
【００２７】
気水混合運転中の吸込ケーシング６内では、整流板２１の上端２１ａから羽根車１１の下端までの領域、すなわち整理板２１が存在しない領域に旋回流Ｒが生じておりこの領域の水は高い動圧を有する。補助空気孔６ｂは整流板２１より上方の旋回流Ｒが生じている位置にあるので、閉鎖状態で維持される。従って、気水混合運転中は補助空気供給管１７から補助空気孔６ｂを介して吸込ケーシング６内へ空気が流入しない。また、補助空気供給管１７の空気流量は主供給空気供給管１６の空気流量と比較して十分少なく設定しているので、仮に補助空気供給管１７から吸込ケーシング６内へ空気が流入しても、その量は主空気供給管１６から吸込ケーシング６内への空気流入量と比べて無視できる程度である。なお、前述の通常揚水運転中も旋回流Ｒが存在し、その動圧は補助空気孔６ｂを閉鎖状態で維持することに寄与する。
【００２８】
図８に示すように、吸込水槽２の水位ＷＬが主空気孔６ａに対応する水位ＷＬ３まで低下すると、主空気孔６ａが開放されて主空気供給管１６から主空気孔６ｂを介して吸込ケーシング６内に流入する空気量が急激に増加する。その結果、吸込ケーシング６内の羽根車１１の下端と主空気孔６ａの間の領域に空気溜まり２６が形成される一方、ケーシング３の羽根車１１よりも上方の領域には水柱２７が形成されるので揚水が停止する（エアロック運転）。補助空気孔６ｂは空気溜まり２６が形成される羽根車１１の下端と主空気孔６ａの間の領域に位置しているので、エアロック運転の開始と共に補助空気供給管１６から補助空気孔６ｂを介して吸込ケーシング６内に空気が流入し始める。空気溜まり２６を形成する空気は羽根車１１により徐々に水柱２６側へ排気されて気泡２５となるが、主空気供給管１６から主空気孔６ａを介して吸込ケーシング６内に流入する空気、及び補助空気供給管１７から補助空気孔６ｂを介して吸込ケーシング６内に流入する空気により空気溜まり２６が維持される。
【００２９】
図９に示すように、エアロック運転中に吸込水槽２及び吸込ケーシング６内の水位ＷＬが主空気孔６ａよりも上方であるが、補助空気孔６ｂよりも下方の水位となっても、エアロック状態を維持される。この水位では主空気孔６ａは吸込ケーシング３内の水で塞がれるので、主空気供給管１６から主空気孔６ａを介した吸込ケーシング３内への空気の流入は停止する。しかし、補助空気孔６ｂは依然として水面より上方に位置しているので、補助空気供給管１７から補助空気孔６ｂを介して空気溜まり２６に空気が流入し、それによって空気溜まり２６が維持される。
【００３０】
一方、図１０に示すように、エアロック運転中に吸込水槽２及び吸込ケーシング６内の水位ＷＬが補助空気孔６ｂと対応する水位ＷＬ４まで達すると、主空気孔６ａを介した主空気供給管１６から空気溜まり２６への空気の流入及び補助空気孔６ｂを介した補助空気供給管１７から空気溜まり２６への空気の流入の両方が停止する。その結果、空気溜まり２６を構成する空気が徐々に減少し、それに伴って吸込ケーシング６内の水位ＷＬが上昇して図１１に示すように羽根車１１の下端に達すると、気水混合運転を経て再び通常揚水運転に復帰する。
【００３１】
エアロック運転中に流入側管路から吸込水槽２内に雨水等がある程度継続的に流入すると、吸込水槽２及び吸込ケーシング６内の水位ＷＬは、前述の補助空気孔６ｂと対応する水位ＷＬ４まで上昇し、その後も上昇を継続するので、気水混合運転を経て通常揚水運転に復帰する。
【００３２】
一方、エアロック運転中に、少量の水が一時的に吸込水槽２に流入する場合や、水柱２７を構成する水が羽根車１１とポンプケーシング５の隙間から漏れ落ちる場合がある。これらの場合、吸込ケーシング６内の水位が僅かに上昇して、それによって主空気孔６ａは吸込ケーシング６内の水で塞がれる。しかし、これらの一時的ないしは非継続的な水位の上昇があっても、前述のように吸込ケーシング６内の水位が補助空気孔６ｂに対応する水位ＷＬ４まで上昇しない限り、補助空気供給管１７から補助空気孔６ｂを介して空気溜まり２６に供給される空気によりエアロック運転の状態が維持される。換言すれば、いったんエアロック運転の状態となった後は、一時的に主空気孔６ａに対応する水位ＷＬ３から補助空気孔６ｂに対応する水位ＷＬ４までの水位変動ΔＷＬ（主空気孔６ａと補助空気孔６ｂの高さ方向の距離Ｌと等しい）があっても、エアロック運転が維持される。従って、従って、エアロック運転中に吸込水槽２への少量の水の流入や水柱２６からの水の漏れにより吸込水槽２内の水位が僅かに上昇しても、エアロック運転の状態が維持され、ハンチング現象の発生を防止できる。一方、仮にこの立軸ポンプ１が補助空気孔６ｂと補助空気供給管１７を備えていないとすると、エアロック運転中に図４に示すに主空気孔６ａ及び主空気供給管１６の直径Ｄ１の半分（Ｄ１／２）の水位上昇でエアロック状態が終了して通常揚水運転へ移行するので、一時的な僅かな水位変動によってハンチング減少が発生する。
【００３３】
本発明は前記実施形態に限定されず、種々の変形が可能である。例えば、前記実施形態では、主空気供給管１６及び補助空気供給管１７は端部を除いてケーシング３とは別体である。しかし、主空気供給管１６及び補助空気供給管１７のいずれか一方又は両方の一部又は全部がケーシング３の外周部に密着して配置され、又は一体に形成されていてもよい。また、主空気供給管１６及び補助空気供給管１７は、その一部又は全部がケーシング３に穿設した流路によって構成されていてもよい。また、少なくとも主空気供給管１６からケーシング３内に流入する空気流量よりも、補助空気供給管１７から流入する空気流量が少ないという条件を満たす限り、主空気供給管１６及び補助空気供給管１７の本数及び径、並びに主空気孔６ａ及び補助空気孔６ｂの径は任意に設定できる。
【図面の簡単な説明】
【００３４】
【図１】本発明の実施形態に係る先行待機型立軸ポンプの断面図。
【図２】図１のII−II線での模式的な断面図。
【図３】図１のIII−III線での模式的な断面図。
【図４】吸込ケーシングの内側から見た主空気孔及び補助空気孔の模式図。
【図５】通常揚水運転中の先行待機型立軸ポンプの断面図。
【図６】気水混合運転開始時の先行待機型立軸ポンプの断面図。
【図７】気水混合運転中の先行待機型立軸ポンプの断面図。
【図８】エアロック運転開始時の先行待機型立軸ポンプの断面図。
【図９】エアロック運転中の先行待機型立軸ポンプの断面図。
【図１０】エアロック運転終了時の先行待機型立軸ポンプの断面図。
【図１１】揚水再開時の先行待機型立軸ポンプの断面図。
【符号の説明】
【００３５】
１  先行待機型立軸ポンプ
２  吸込水槽
３  ケーシング
４  揚水管
５  ポンプケーシング
６  吸込ケーシング
６ａ  主空気孔
６ｂ  補助空気孔
７  吐出エルボ
８  吸込口
９  吐出管
１１  羽根車
１２  主軸
１３  回転駆動機構
１４Ａ，１４Ｂ，１４Ｃ  水中軸受
１６  主空気供給管
１６ａ  下端
１６ｂ  上端
１７  補助空気供給管
１７ａ  下端
１７ｂ  上端
１８  ポンプ床
１９  流量調整弁
２１  整流板
２１ａ  上端
２１ｂ  下端
２５  気泡
【図１】
2006291900.tif 000003
【図２】
2006291900.tif 000004
【図３】
2006291900.tif 000005
【図４】
2006291900.tif 000006
【図５】
2006291900.tif 000007
【図６】
2006291900.tif 000008
【図７】
2006291900.tif 000009
【図８】
2006291900.tif 000010
【図９】
2006291900.tif 000011
【図１０】
2006291900.tif 000012
【図１１】
2006291900.tif 000013